(57)【要約】      （修正有）【課題】簡単な構成で着衣時に裾が背中に引っ掛かるのを容易に防ぐことができる着衣補助具を提供する。【解決手段】着衣時に着衣者１０の首１１の外周前側に嵌め込まれるＵ字状の基部２と、この基部２の両端から着衣者１０の背中に向かってそれぞれ延び、基部２が首１１の外周前側に嵌め込まれた状態で半袖シャツ２０の襟刳りが着衣者１０の頭部１２から挿入されて半袖シャツ２０の裾２２を引き下ろすときに背面側の裾２２が着衣者１０の背中に張り付くのを防ぐ一対の裾支持部３とを設ける。【選択図】図２
0003199819.tif 000002
【実用新案登録請求の範囲】
【請求項１】
着衣時に着衣者の首の外周前側に嵌め込まれるＵ字状の基部と、
上記基部の両端から上記着衣者の背中に向かってそれぞれ延び、該基部が上記首の外周前側に嵌め込まれた状態で上記衣服の襟刳りが上記着衣者の頭部から挿入されて該衣服の裾を引き下ろすときに背面側の裾が上記着衣者の背中に張り付くのを防ぐ一対の裾支持部とを備えている
ことを特徴とする着衣補助具。
【請求項２】
着衣時に着衣者の首の外周前側に嵌め込まれるＵ字状の基部と、
上記基部の両端から離れるにつれて下方に傾斜する一対の裾支持部とを備えている
ことを特徴とする着衣補助具。
【請求項３】
請求項１又は２に記載の着衣補助具において、
樹脂成形品で構成されている
ことを特徴とする着衣補助具。
【考案の詳細な説明】
【技術分野】
【０００１】
本考案は、肩が上がりにくいなどの理由で着衣困難な着衣者が、着衣をし安くする着衣補助具に関する。
【背景技術】
【０００２】
高齢者、障害者などは、肩が十分に上がらずに一人で衣服を脱ぎ着するのが困難な場合がある。特に風呂上がりなど、背中が汗、水滴等で濡れている場合、いったん裾が背中に引っ掛かってしまうと張り付いてなかなか裾を降ろすことができないという問題がある。この問題は特に下着など体にフィットする衣服の着衣時に顕著である。
【０００３】
そこで、例えば、特許文献１の衣類着脱用補助具のように、半身用衣類の裾部を着脱自在に固定する１以上の固定部と、この固定部に連設された引き紐部と、引き紐部に連結された重錘部とを備えた衣類着脱用補助具が知られている。
【先行技術文献】
【特許文献】
【０００４】
【特許文献１】特開２０００−１９９１１８号公報
【考案の概要】
【考案が解決しようとする課題】
【０００５】
しかしながら、上記特許文献１の衣類着脱用補助具は、部品点数が多い上に、固定部を衣服の裾に固定したり外したりしなければならず面倒であるという問題がある。
【０００６】
本考案は、かかる点に鑑みてなされたものであり、その目的とするところは、簡単な構成で着衣時に裾が背中に引っ掛かるのを容易に防ぐことにある。
【課題を解決するための手段】
【０００７】
上記の目的を達成するために、この考案では、着衣者の首に嵌め込んだ着衣補助具が、衣服を着る際にその背面側の裾と背中との張り付きを防止するようにした。
【０００８】
具体的には、第１の考案では、着衣時に着衣者の首の外周前側に嵌め込まれるＵ字状の基部と、
上記基部の両端から上記着衣者の背中に向かってそれぞれ延び、該基部が上記首の外周前側に嵌め込まれた状態で上記衣服の襟刳りが上記着衣者の頭部から挿入されて該衣服の裾を引き下ろすときに背面側の裾が上記着衣者の背中に張り付くのを防ぐ一対の裾支持部とを備えている。
【０００９】
第２の考案では、着衣時に着衣者の首の外周前側に嵌め込まれるＵ字状の基部と、
上記基部の両端から離れるにつれて下方に傾斜する一対の裾支持部とを備えている。
【００１０】
これらの考案の構成によると、基部が着衣者の首の外周前側に嵌め込まれた状態で下着などの衣服の襟刳りが着衣者の頭部から挿入された後、この衣服の裾を両脇から引き下ろすときに基部の両端から着衣者の背中側へ延びる一対の裾支持部が衣服の背面側の裾と着衣者の背中との間に隙間を保つので、裾が汗などで濡れた背中に張り付くことはない。このため着衣者は、衣服の前側の裾を両脇から引き下ろせば、丸めたり折り畳んだりした状態の背面側の裾も滑らかに降ろすことができる。
【００１１】
第３の考案では、第１又は第２の考案において、
着衣補助具は、樹脂成形品で構成されている。
【００１２】
上記の構成によると、さびずに手入れが容易な上、成形がしやすく安価で且つ軽量な着衣補助具が得られる。
【考案の効果】
【００１３】
以上説明したように、本考案によれば、基部が着衣者の首の外周前側に嵌め込まれた状態で衣服の襟刳りを頭部から挿入して衣服の裾を引き下ろすときに一対の裾支持部によって背面側の裾が着衣者の背中に張り付くのを防ぐようにしたことにより、簡単な構成で着衣時に裾が背中に引っ掛かるのを容易に防ぐことができる。
【図面の簡単な説明】
【００１４】
【図１】本考案の実施形態に係る着衣補助具を示す斜視図である。
【図２】シャツの裾を折り畳んだ状態で袖に手を通し、着衣補助具を首にセットした状態を前方から見た斜視図である。
【図３】シャツの裾を折り畳んだ状態で袖に手を通し、着衣補助具を首にセットした状態を後方から見た斜視図である。
【図４】シャツの襟刳りに頭を通し、背面側の裾が一対の裾支持部に載った状態を示す斜視図である。
【図５】背面側の裾が一対の裾支持部に載った状態から正面側の裾を引き下ろす状態を示す斜視図である。
【考案を実施するための形態】
【００１５】
以下、本考案の実施形態を図面に基づいて説明する。
【００１６】
図１は本考案の実施形態の着衣補助具１を示し、この着衣補助具１は、着衣時に着衣者１０の首１１の外周前側に嵌め込まれるＵ字状の基部２と、この基部２の両端に連続し、両端から離れるにつれて下方に傾斜する一対の裾支持部３とを備えている。着衣補助具１は、樹脂成形品で構成されており、基部２と一対の裾支持部３とが一体に成形されている。図２〜図４に示すように、基部２と一対の裾支持部３との折れ曲がり角度は、基部２を着衣者１０の首１１の外周前側に嵌め込んだときに、一対の裾支持部３と背中１３との間に適度な隙間が確保されるように設定されている。
【００１７】
基部２及び一対の裾支持部３の断面は、円形、長円形、楕円形等特に限定されず、中実でも中空でもよい。樹脂成形品であれば、さびないので手入れが容易な上、成形がしやすく安価で且つ軽量な着衣補助具１が得られる。
【００１８】
着衣補助具１は、肌に直接触れるので、例えば、表面が滑らかな丸棒を折り曲げたような形状となっている。特に一対の裾支持部３の先端は丸まっているのが、取り扱いの上で望ましい。
【００１９】
次に、本実施形態に係る着衣補助具１の使用手順について図面を用いて説明する。
【００２０】
まず、着衣に先立って衣服としての例えば半袖シャツ２０の裾２２を外側に丸めるように折り畳んでおく。
【００２１】
次いで、この状態で両方の袖２１に手を通す。
【００２２】
次いで、図２及び図３に示すように、Ｕ字状の基部２を着衣者１０の首１１の外周前側に嵌め込む。一対の裾支持部３は、その先端がそれぞれ背中１３の方に向かう配置となっている。
【００２３】
次いで、図４に示すように、この着衣補助具１の基部２が首１１の外周前側に嵌め込まれた状態で、半袖シャツ２０の襟刳りを着衣者１０の頭部１２から挿入する。このとき、一対の裾支持部３が半袖シャツ２０の背面側の裾２２と着衣者１０の背中１３との間に隙間を保つ。このため、着衣者１０の背中１３が汗や水滴で濡れていても裾２２が背中１３に張り付くことはない。
【００２４】
次いで、図５に示すように、半袖シャツ２０の正面側の裾２２を両脇から引き下ろす。このとき、背面側の裾２２が着衣者１０の背中１３に張り付いていないので、前側の裾２２を両脇から引き下ろせば、丸めて折り畳まれていた背中１３の裾２２も滑らかに降りてくる。
【００２５】
したがって、本実施形態に係る着衣補助具１によると、簡単な構成で着衣時に裾２２が背中１３に引っ掛かるのを容易に防ぐことができるので、手の上がりにくい着衣者１０であっても容易に一人で着衣を行うことができる。
【００２６】
（その他の実施形態）
本考案は、上記実施形態について、以下のような構成としてもよい。
【００２７】
すなわち、上記実施形態では、棒状の樹脂成形品で着衣補助具１を形成したが、金属製や木製等で形成してもよく、一対の裾支持部３が平らになっていてもよい。
【００２８】
上記実施形態では、衣服として半袖シャツ２０の例を示したが、長袖シャツやワンピースなどであってもよい。特に体にぴったりフィットする肌着の着衣において着衣補助具１の効果が最も発揮される。
【００２９】
なお、以上の実施形態は、本質的に好ましい例示であって、本考案、その適用物や用途の範囲を制限することを意図するものではない。
【符号の説明】
【００３０】
１      着衣補助具
２      基部
３      一対の裾支持部
１０      着衣者
１１      首
１２      頭部
１３      背中
２０      半袖シャツ（衣服）
２１      袖
２２      裾
【図１】
0003199819.tif 000003
【図２】
0003199819.tif 000004
【図３】
0003199819.tif 000005
【図４】
0003199819.tif 000006
【図５】
0003199819.tif 000007